(57)【要約】      （修正有）【課題】複数の設備機器を管理するために、作業者が複数の機器に識別情報を入力する作業を支援する。【解決手段】識別情報入力支援システム１００は、情報記憶装置３０と、モバイル端末５０とを備える。情報記憶装置３０は、機器情報と、図面情報と、配置情報と、を記憶する。機器情報は入力すべき識別情報を含む情報で、図面情報は機器が設置される場所の情報で、配置情報は図面情報における機器の配置を示す情報である。モバイル端末５０は、通信部５１と、表示部５２とを有する。通信部５１は、情報記憶装置３０と通信を行う。表示部５２は、機器情報、図面情報および配置情報を対応づけて表示する。【選択図】図１
2020060818.tif 000002
【特許請求の範囲】
【請求項１】
複数の機器（２０）に識別情報（４１）を入力する作業者による作業を支援する、識別情報入力支援システム（１００）であって、
入力すべき前記識別情報（４１）を含む機器情報（４２）と、前記機器（２０）が設置される場所の図面情報（４３）と、前記図面情報（４３）における前記機器（２０）の配置を示す配置情報（４４）と、を記憶する、情報記憶装置（３０）と、
前記情報記憶装置（３０）と通信を行う通信部（５１）と、前記機器情報（４２）、前記図面情報（４３）および前記配置情報（４４）を対応づけて表示する表示部（５２）と、を有す、モバイル端末（５０）と、
を備える、識別情報入力支援システム。不戦
【請求項２】
前記情報記憶装置（３０）は、さらに、前記機器（２０）に前記識別情報（４１）を入力する作業の進捗度合いを示す管理情報（４６）、を記憶し、
前記表示部（５２）は、さらに、前記管理情報（４６）を表示する、
請求項１に記載の識別情報入力支援システム。
【請求項３】
前記通信部（５１）は、前記作業の進捗度合いが更新されると、前記情報記憶装置（３０）と通信を行い、
前記情報記憶装置（３０）は、前記作業の進捗度合いの更新があると、前記管理情報（４６）を更新する、
請求項２に記載の識別情報入力支援システム。
【請求項４】
複数の機器（２２０）に識別情報（２４１）を入力する作業者による作業を支援する、識別情報入力支援システムであって、
入力すべき前記機器（２２０）の識別情報（２４１）を含む機器情報（２４２）と、前記機器（２２０）が設置される場所の図面情報（２４３）と、前記図面情報（２４３）における前記機器（２２０）の配置を示す配置情報（２４４）と、を記憶する、記憶部（２４０）と、
前記機器情報（２４１）、前記図面情報（２４３）および前記配置情報（２４４）を対応づけて表示する表示部（２５２）と、
を備える、識別情報入力支援システム。
【請求項５】
前記記憶部（２４０）は、さらに、前記機器（２２０）に前記識別情報（２４１）を入力する作業の進捗度合いを示す管理情報（２４６）、を記憶し、
前記表示部（２５２）は、さらに、前記管理情報（２４６）を表示する、
請求項４に記載の識別情報入力支援システム。
【請求項６】
前記識別情報（４１，２４１）は、前記機器（２０，２２０）を管理するためのアドレスを含む、
請求項１から５のいずれかに記載の識別情報入力支援システム。
【請求項７】
前記表示部（５２，２３５）には、複数の前記機器（２０，２２０）が表示され、
前記表示部（５２，２３５）は、前記作業者により選択された１つの前記機器（２０，２２０）に入力すべき前記識別情報（４１，２４１）を目立たせる、または、前記作業者により選択された１つの前記機器（２０，２２０）に入力すべき前記識別情報（４１，２４１）のみを表示する、
請求項１から６のいずれかに記載の識別情報入力支援システム。
【請求項８】
前記モバイル端末（５０）は、前記機器（２０）と近距離通信を行って前記機器（２０）から前記識別情報（４１）の入力が済んでいるか否かに関する情報を得る機器状況取得部（５３）、をさらに有し、
前記表示部（５２）は、さらに、前記機器状況取得部（５３）が得た前記情報を表示する、
請求項１から３のいずれかに記載の識別情報入力支援システム。
【請求項９】
前記機器（２２０）と近距離通信を行って前記機器（２２０）から前記識別情報（２４１）の入力が済んでいるか否かに関する情報を得る機器状況取得部（２３６）、
をさらに備え、
前記表示部（２５２）は、さらに、前記機器状況取得部（２３６）が得た前記情報を表示する、
請求項４又は５に記載の識別情報入力支援システム。
【発明の詳細な説明】
【技術分野】
【０００１】
識別情報入力支援システムに関する。
【背景技術】
【０００２】
特許文献１（特開２００９−３０００６０号公報）のように複数の設備機器を管理するための管理装置がある。
【発明の概要】
【発明が解決しようとする課題】
【０００３】
複数の設備機器を管理するためには、設備機器の設置後に設備機器に固有のアドレスを設定する必要がある。従来、アドレスを設定する際には、作業者が紙の図面を参照して作業を行っていた。
【課題を解決するための手段】
【０００４】
第１観点の識別情報入力支援システムは、作業者が複数の機器に識別情報を入力する作業を支援する。識別情報入力支援システムは、情報記憶装置と、モバイル端末と、を備える。情報記憶装置は、機器情報と、図面情報と、配置情報と、を記憶する。機器情報は、入力すべき識別情報を含む情報である。図面情報は、機器が設置される場所の情報である。配置情報は、図面情報における機器の配置を示す情報である。モバイル端末は、通信部と、表示部と、を有す。通信部は、情報記憶装置と通信を行う。表示部は、機器情報、図面情報および配置情報を対応づけて表示する。
【０００５】
機器情報、図面情報および配置情報は、モバイル端末の表示部に対応づけて表示される。これにより、作業者は識別情報を複数の機器に対して入力する作業を効率的に行うことができる。
【０００６】
第２観点の識別情報入力支援システムは、第１観点の識別情報入力支援システムであって、情報記憶装置は、さらに、管理情報を記憶する。管理情報は、機器に識別情報を入力する作業の進捗度合いを示す情報である。表示部は、さらに、管理情報を表示する。
【０００７】
表示部が管理情報を表示することで、作業者は作業の進捗度合いを容易に把握することができる。
【０００８】
第３観点の識別情報入力支援システムは、第２観点の識別情報入力支援システムであって、通信部は、作業の進捗度合いが更新されると、情報記憶装置と通信を行う。情報記憶装置は、作業の進捗度合いの更新があると、管理情報を更新する。
【０００９】
これによって、作業者は更新された作業の進捗度合いを容易に把握できる。
【００１０】
第４観点の識別情報入力支援システムは、作業者が複数の機器に識別情報を入力する作業を支援する。識別情報入力支援システムは、記憶部と、表示部と、を備える。記憶部は、機器情報と、図面情報と、配置情報と、を記憶する。機器情報は、入力すべき識別情報を含む情報である。図面情報は、機器が設置される場所の情報である。配置情報は、図面情報における機器の配置を示す情報である。表示部は、機器情報、図面情報および配置情報を対応づけて表示する。
【００１１】
機器情報、図面情報および配置情報は、表示部に対応づけて表示される。これにより、作業者は識別情報を複数の機器に対して入力する作業を効率的に行うことができる。
【００１２】
第５観点の識別情報入力支援システムは、第４観点の識別情報入力支援システムであって、記憶部は、さらに、管理情報を記憶する。管理情報は、機器に識別情報を入力する作業の進捗度合いを示す情報である。表示部は、さらに、管理情報を表示する。
【００１３】
表示部が管理情報を表示することで、作業者は作業の進捗度合いを容易に把握することができる。
【００１４】
第６観点の識別情報入力支援システムは、第１観点から第５観点のいずれかの識別情報入力支援システムであって、識別情報は、機器を管理するためのアドレスを含む情報である。
【００１５】
第７観点の識別情報入力支援システムは、第１観点から第６観点のいずれかの識別情報入力支援システムであって、表示部は複数の機器を表示する。表示部は、作業者により選択された１つの機器に入力すべき識別情報を目立たせる、または、作業者により選択された１つの機器に入力すべき識別情報のみを表示する。
【００１６】
これによって、作業者は１つの機器に入力すべき識別情報を容易に把握することができる。
【００１７】
第８観点の識別情報入力支援システムは、第１観点から第３観点のいずれかの識別情報入力支援システムであって、機器状況取得部、をさらに有す。機器状況取得部は、機器と近距離通信を行って機器から識別情報の入力が済んでいるか否かに関する情報を得る。表示部は、さらに、機器状況取得部が得た情報を表示する。
【００１８】
作業者は、機器と近距離通信を行うことによって、識別情報の入力作業が済んでいるか否かに関する情報を容易に把握することができる。
【００１９】
第９観点の識別情報入力支援システムは、第４観点から第５観点のいずれかの識別情報入力支援システムであって、機器状況取得部をさらに備える。機器状況取得部は、機器と近距離通信を行って機器から識別情報の入力が済んでいるか否かに関する情報を得る。表示部は、さらに、機器状況取得部が得た情報を表示する。
【００２０】
作業者は、機器と近距離通信を行うことによって、識別情報の入力作業が済んでいるか否かに関する情報を容易に把握することができる。
【図面の簡単な説明】
【００２１】
【図１】第１実施形態の識別情報入力支援システムの構成を示すブロック図である。
【図２】第１実施形態の作業の流れを示したフローチャートである。
【図３】表示部の画面の一例である。
【図４】表示部の画面の一例である。
【図５】第２実施形態の識別情報入力支援システムの構成を示すブロック図である。
【図６】第２実施形態のおける作業の流れを示したフローチャートである。
【発明を実施するための形態】
【００２２】
識別情報入力支援システムは、作業者が複数の機器に対して識別情報を入力する作業を支援する。
【００２３】
本開示において、機器は空気調和装置の室内ユニットや換気装置である。空気調和装置は、家屋、ビル、工場、公共施設等の内部の対象空間において冷房や暖房等の空気調和を実現する装置である。特に、空気調和装置は、室内ユニットが複数台必要となる大きな対象空間又は複数の対象空間を形成された施設、に適用されることを想定している。
【００２４】
空気調和装置では、室内ユニットと、室外ユニットと、が冷媒連絡配管で接続されることで冷媒回路が構成されている。空気調和装置は、冷媒回路において冷媒を循環させて蒸気圧縮方式の冷凍サイクルを行うことにより、対象空間の冷房又は暖房を行う。
【００２５】
換気装置は、対象空間の二酸化炭素濃度を下げるために、対象空間の換気を行う。  室内ユニットや換気装置である機器には、それぞれ識別情報が割り当てられており、識別情報は機器の設置時やメンテナンス時に作業者によって入力される。識別情報には、それぞれの機器に設定される固有の通信アドレスが含まれる。
【００２６】
以下では、識別情報入力支援システムについて説明する。
【００２７】
（１）＜第１実施形態＞
（１−１）全体構成
図１は、識別情報入力支援システム１００の構成を示すブロック図である。識別情報入力支援システム１００は、主に、機器２０と、情報記憶装置３０と、モバイル端末５０と、を備える。
【００２８】
（１−２）詳細構成
（１−２−１）機器
機器２０は、空気調和装置の室内ユニットや換気装置である。機器２０は、作業者が作業を行う対象空間に複数設置されている。機器２０は、識別情報記憶部２１と、通信部２２と、機器状況送信部２３と、を備えている。
【００２９】
識別情報記憶部２１は、作業者によって入力された識別情報４１を記憶する。
【００３０】
通信部２２は、インターネット等の通信回線９０に接続されており、後述する情報記憶装置３０と互いに通信可能である。但し、後述する作業者の識別情報入力の作業の時点では、通信部２２が通信回線９０に接続されていないことが多い。
【００３１】
機器状況送信部２３は、後述するモバイル端末５０と近距離無線通信を行い、識別情報２１の入力が完了しているか否かの情報を送信する。近距離無線通信は、数センチから約１０メートル程度の近距離における双方向通信を可能とする通信方式である。機器２０の機器状況送信部２３は、近距離無線通信を行うことによって、近距離にあるモバイル端末５０から、識別情報４１の入力作業が完了しているか否かの情報を得ることができる。
【００３２】
（１−２−２）情報記憶装置
情報記憶装置３０は、例えば、ＣＰＵ又はＧＰＵといったプロセッサを有するコンピュータであり、プログラムに従って所定の演算処理や情報の読み出し・書き込み処理を行う。情報記憶装置３０は、入力部３１と、記憶部４０と、情報処理部３２と、通信部３３と、更新部３４と、を備えている。情報処理部３２や更新部３４は、プロセッサにより実現される機能的な処理部である。
【００３３】
入力部３１は、複数の機器２０の機器情報４２と、図面情報４３と、複数の機器２０の配置情報４４と、の入力を行うためのものである。機器情報４２は、機器２０の識別情報４１を含む情報である。機器情報４２は、さらに、それぞれの機器２０が図面上において属する区域、機器２０の名称、機器２０の機種名、及び、機器２０の特性、等の情報を含む。図面情報４３は、それぞれの機器２０が設置される場所の図面の情報である。配置情報４４は、図面情報４３におけるそれぞれの機器２０の配置を示す情報である。
【００３４】
入力部３１によって入力された機器情報４２、図面情報４３、及び、配置情報４４は、情報処理部３２によって処理され互いに対応付けられる。具体的には、図面上にそれぞれの機器２０がアイコンとして適切な位置に配置される。それぞれのアイコンは、アイコンに対応する機器２０の機器情報４２と結び付けられる。情報処理部３２によって処理された情報を、事前情報４５とする。
【００３５】
記憶部４０は、事前情報４５と、管理情報４６と、を記憶している。管理情報４６は、作業員の行う作業の進捗度合いを示す情報である。進捗度合いは、識別情報４１の入力作業がどの程度完了した／完了していないことを示す。管理情報４６は、作業員の行う作業に進捗があった場合、後述する更新部３４によって随時更新される。
【００３６】
通信部３３は、インターネット等の通信回線９０に接続されており、機器２０、及び、後述するモバイル端末５０、と互いに通信可能である。
【００３７】
更新部３４は、作業員の行う作業に進捗があった場合、記憶部４０の記憶している管理情報４６の更新を行う。
【００３８】
（１−２−３）モバイル端末
モバイル端末５０は、例えば、スマートフォンやタブレットＰＣである。作業者は、作業を行う対象空間にモバイル端末５０を持ち込み、作業を行う。モバイル端末５０は、通信部５１と、表示部５２と、機器状況送信部得２３と、を備えている。
【００３９】
通信部５１は、インターネット等の通信回線９０に接続されており、情報記憶装置３０と互いに通信可能である。
【００４０】
表示部５２は、事前情報４５、及び、管理情報４６、を対応づけて表示する。
【００４１】
機器状況送信部得２３は、機器２０の機器状況送信部２３と近距離無線通信を行い、識別情報４１の入力が完了しているか否かの情報を受信する。
【００４２】
（１−３）作業の流れ
図２は、識別情報入力支援システム１００、及び、作業者の作業の流れを示したフローチャートである。識別情報入力支援システム１００、及び、作業者は、図２のステップＳ１〜Ｓ９に示す流れで作業を行う。なお、作業の流れは適宜変更が可能である。
【００４３】
まず、ステップＳ１において、作業者は、情報記憶装置３０の入力部３１から、機器情報４２、図面情報４３、および配置情報４４、の入力を行う。入力された各情報は、ステップＳ２において、情報処理部３２によって処理される。処理された情報は、互いに対応付けられ事前情報４５となる。ステップＳ３において、処理された事前情報４５は記憶部４０に記憶される。ステップＳ３で記憶された事前情報４５、及び、記憶部４０に記憶されている管理情報４６は、情報記憶装置３０の通信部３３から、通信回線９０を介して、モバイル端末５０の通信部５１へと送信される（ステップＳ４）。ステップＳ５において、モバイル端末５０は、通信部５１が受信した事前情報４５および管理情報４６を表示部５２に表示する。表示部５２は、例えば、図３のように事前情報４５および管理情報４６を対応付けて表示する。ステップＳ６において、作業者は表示部５２を参照し識別情報４１を入力する作業を行う。このとき、作業者は、表示部５２に表示された複数のアイコン（機器２０）の中から１つのアイコンを選択することができる。表示部５２は、図３に示すように、選択されたアイコンに対応する機器情報４２のみを表示する。ステップＳ７において、機器２０は、識別情報４１が入力されると、機器２０の通信部２２から作業が完了したという情報を情報記憶装置３０の通信部３３へ伝える。ステップＳ８において、情報記憶装置３０の通信部３３は作業が完了したという情報を受信すると、更新部３４は記憶部４０に記憶された管理情報４６を更新する。ステップＳ９において、更新された管理情報４６は、送信部を介して、モバイル端末５０に共有される。ステップＳ１０において、モバイル端末５０は、更新された管理情報４６を表示部５２に表示する。更新された管理情報４６は、例えば、図４のように表示される。
【００４４】
ステップＳ１０５からステップＳ１０９は、対象空間に配置されたすべての機器２０の作業が完了するまで繰り返し実行される。
【００４５】
なお、上記の作業の時点で、機器２０の通信部２２が通信回線９０９０に未だ接続されていない場合には、例えば、ステップＳ８の管理情報４６の更新は、機器２０からモバイル端末５０を経て情報記憶装置３０に伝えられる作業完了の情報を基に行われることになる。
【００４６】
（１−４）特徴
（１−４−１）
本実施形態の識別情報入力支援システム１００は、機器２０と、情報記憶装置３０と、モバイル端末５０と、を備える。情報記憶装置３０は記憶部４０を備え、記憶部４０は、事前情報４５を記憶している。事前情報４５は、情報処理部３２によって処理された機器情報４２、図面情報４３、及び配置情報４４である。機器情報４２は、機器２０の識別情報４１を含む。モバイル端末５０は、事前情報４５を受信する。モバイル端末５０の表示部５２は、事前情報４５が表示され、作業者はこれを参照して作業を行う事ができる。
【００４７】
従来、作業者は、紙の図面に手書きで機器情報および配置情報を書き込んでいた。しかし、紙の図面では必要な情報を参照するために手間がかかる。さらに、手書きによる情報は、作業者が情報を読み間違えるなどの人的ミスが起こりやすい。
【００４８】
本実施形態における識別情報入力支援システム１００は、あらかじめ適切に処理された事前情報４５をモバイル端末５０に表示することで、作業者は必要な情報を容易に参照することができる。また、モバイル端末５０に表示することによって、作業者が情報を読み取りやすくなり、人的ミスを抑制することができる。これにより、作業者は複数の機器２０に対して識別情報４１を入力する作業を効率的に行うことができる。
【００４９】
さらに、複数のモバイル端末５０を複数の作業者がそれぞれ使用することで、必要な情報の共有を容易に行う事ができる。これにより、作業者は作業を効率的に行う事ができる。
【００５０】
（１−４−２）
情報記憶装置３０の記憶部４０は、さらに、管理情報４６を記憶する。管理情報４６は、機器２０に識別情報４１を入力する作業の進捗度合いを示す情報である。進捗度合いは、作業員の行う作業がどの程度完了した／完了していないことを示す。管理情報４６はモバイル端末５０に送信され、表示部５２に表示される。
【００５１】
これにより作業者は、作業の進捗度合いを容易に把握することができる。
【００５２】
（１−４−３）
情報記憶装置３０の更新部３４は、作業の進捗度合いが更新されると管理情報４６を更新する。更新された管理情報４６は、情報記憶装置３０の通信部３３から、モバイル端末５０の通信部５１へと送信される。モバイル端末５０の表示部５２は、更新された管理情報４６を表示する。
【００５３】
これによって、作業者は更新された作業の進捗度合いを容易に把握できる。
【００５４】
（１−４−４）
モバイル端末５０の表示部５２は、複数の機器２０を表示する。作業者は、表示された複数の機器２０の中から１つの機器２０を選択することができる。表示部５２は、選択されたアイコンに対応する機器情報４２のみを表示する。
【００５５】
表示部５２が選択した機器２０の情報のみを表示することで、作業者は必要な情報を容易に参照、把握することができる。また、選択した機器２０の情報のみを表示することで、必要な機器２０の情報と、他の機器２０の情報と、を混同するという人的ミスを抑制することができる。すなわち、従来の、紙の図面に情報を手書きして作業を行っている方法において生じていた隣接機器の情報との取り違えという人的ミスが、本実施形態の識別情報入力支援システム１００では殆ど生じなくなる。
【００５６】
（１−４−５）
モバイル端末５０は、機器状況送信部得２３を有している。機器状況送信部得２３は機器２０の機器状況送信部２３と近距離通信を行い、機器２０から識別情報４１の入力が完了しているか否かに関する情報を得る。モバイル端末５０の表示部５２は、機器状況送信部得２３が得た情報を表示する。
【００５７】
作業者は、機器２０と近距離通信を行うことによって、近距離に位置する機器２０に識別情報４１の入力作業が済んでいるか否かに関する情報を容易に把握することができる。
【００５８】
（１−５）変形例
（１−５−１）変形例１
図２に示すように、識別情報入力支援システム１００は、ステップＳ１０６において、機器２０は識別情報４１が入力されると、作業が完了したという情報を情報記憶装置３０の通信部３３へ伝えるが、作業が完了したという情報は作業者がモバイル端末５０から手入力しても良い。モバイル端末５０に入力された作業が完了したという情報は、モバイル端末５０の通信部５１から通信回線９０を介して情報記憶装置３０の通信部３３へと送信される。通信部３３は作業が完了したという情報を受信すると、更新部３４は管理情報４６の更新を行う。
【００５９】
これによって、作業者は更新された作業の進捗度合いを容易に把握できる。
【００６０】
（１−５−２）変形例２
ステップＳ１０５において、作業者は表示部５２を参照し識別情報４１を入力する作業を行う。このとき、作業者は、表示部５２に表示された複数のアイコン（機器２０）の中から１つのアイコンを選択することができる。表示部５２は、選択されたアイコンに対応する機器情報４２を他のアイコンに対応する機器情報４２よりも目立たせて表示する。
【００６１】
表示部５２が選択した機器２０の情報を他の機器２０の情報よりも目立たせて表示することで、作業者は必要な情報を容易に参照、把握することができる。
【００６２】
（２）＜第２実施形態＞
（２−１）全体構成
図５は、識別情報入力支援システム２００の構成を示すブロック図である。
識別情報入力支援システム２００は、主に、機器２２０と、識別情報入力支援装置２３０と、を備える。
【００６３】
（２−２）詳細構成
（２−２−１）機器
機器２２０は、空気調和装置の室内ユニットである。機器２２０は、作業者が作業を行う対象空間に複数設置されている。機器２２０は、識別情報記憶部２２１と、機器状況送信部２２３と、を備えている。
【００６４】
識別情報記憶部２２１は、作業者によって入力された識別情報２４１を記憶する。
【００６５】
機器状況送信部２２３は、後述する識別情報入力支援装置２３０と近距離無線通信を行い、識別情報２４１の入力が完了しているか否かの情報を送信する。近距離無線通信は、数センチから約1メートル程度の近距離における双方向通信を可能とする通信方式である。機器２２０の機器状況送信部２２３は、近距離無線通信を行うことによって、近距離にある識別情報入力支援装置２３０から、識別情報２４１の入力作業が完了しているか否かの情報を得ることができる。
【００６６】
（２−２−２）識別情報入力支援装置
識別情報入力支援装置２３０は、例えば、タブレットＰＣである。作業を行う対象空間に識別情報入力支援装置２３０を持ち込み、作業を行う。識別情報入力支援装置２３０は、入力部２３１、記憶部２４０、情報処理部２３２、更新部２３３、表示部２３４、及び機器状況取得部２３５、を備えている。
【００６７】
入力部２３１は、複数の機器２２０の機器情報２４２と、図面情報２４３と、配置情報２４４の入力を行うためのものである。
【００６８】
入力部２３１によって入力された機器情報２４２、図面情報２４３、及び、配置情報２４４は、情報処理部２３２によって処理され互いに対応付けられる。具体的には、図面上にそれぞれの機器２２０がアイコンとして適切な位置に配置される。それぞれのアイコンは、アイコンに対応する機器２２０の機器情報２４２と結び付けられる。情報処理部２３２によって処理された情報を、事前情報２４５とする。
【００６９】
記憶部２４０は、事前情報２４５と、管理情報２４６と、を記憶している。管理情報２４６は、作業員の行う作業の進捗度合いを示す情報である。進捗度合いは、識別情報２４１の入力作業がどの程度完了した／完了していないことを示す。管理情報２４６は、作業員の行う作業に進捗があった場合、後述する更新部２３３によって随時更新される。
【００７０】
更新部２３３は、作業員の行う作業に進捗があった場合、記憶部２４０の記憶している管理情報２４６の更新を行う。
【００７１】
表示部２３４は、事前情報２４５、及び、管理情報２４６、を対応づけて表示する。
【００７２】
機器状況取得部２３５は、機器２２０の機器状況送信部２２３と近距離無線通信を行い、識別情報２４１の入力が完了しているか否かの情報を受信する。
【００７３】
（２−３）作業の流れ
図６は、識別情報入力支援システム２００、及び、作業者の作業の流れを示したフローチャートである。識別情報入力支援システム２００、及び、作業者は、図６のステップＳ２１〜Ｓに示す流れで作業を行う。なお、作業の流れは適宜変更が可能である。
【００７４】
まず、ステップＳ２１において、作業者は識別情報入力支援装置２３０の入力部２３１から、機器情報２４２、図面情報２４３、および配置情報２４４、の入力を行う。入力された各情報は、ステップＳ２２において、情報処理部２３２によって処理される。処理された情報は、互いに対応付けられ事前情報２４５となる。ステップＳ２３において、処理された事前情報２４５は記憶部２４０に記憶される。ステップＳ２４において、表示部２３４は、事前情報２４５および管理情報２４６を表示する。ステップＳ２５において、作業者は表示部２３４を参照し識別情報２４１を入力する作業を行う。このとき、作業者は、表示部２３４に表示された複数のアイコン（機器２２０）の中から１つのアイコンを選択することができる。表示部２３４は、選択されたアイコンに対応する機器情報２４２のみを表示する。ステップＳ２６において、作業者は作業が完了すると作業が完了したという情報を入力する。ステップＳ２７において、更新部２３３は記憶部２４０に記憶された管理情報２４６を更新する。ステップＳ２８において、表示部２３４は更新された管理情報２４６を表示する。
【００７５】
ステップＳ１０５からステップＳ１０８は、対象空間に配置されたすべての機器２２０の作業が完了するまで繰り返し実行される。
【００７６】
（２−４）特徴
（２−４−１）
本実施形態の識別情報入力支援システム２００は、機器２２０と、識別情報入力支援装置２３０と、を備える。識別情報入力支援装置２３０は記憶部２４０を備え、記憶部２４０は、事前情報２４５を記憶している。事前情報２４５は、情報処理部２３２によって処理された機器情報２４２、図面情報２４３、及び配置情報２４４である。機器情報２４２は、機器２２０の識別情報２４１を含む。表示部２３４は事前情報２４５が表示し、作業者はこれを参照して作業を行う事ができる。
【００７７】
本実施形態における識別情報入力支援システム２００は、あらかじめ処理された事前情報２４５を表示部２３４に表示することで、作業者は必要な情報を容易に参照することができる。さらに、識別情報入力支援装置２３０に表示することによって、作業者が情報を読み取りやすくなり、人的ミスを抑制することができる。これにより、作業者は複数の機器２２０に対して識別情報２４１を入力する作業を効率的に行うことができる。
【００７８】
（２−４−２）
識別情報入力支援装置２３０の記憶部２４０は、さらに、管理情報２４６を記憶する。管理情報２４６は、機器２２０に識別情報２４１を入力する作業の進捗度合いを示す情報である。進捗度合いは、作業員の行う作業がどの程度完了した／完了していないことを示す。管理情報２４６は表示部２３４に表示される。
【００７９】
これにより作業者は、作業の進捗度合いを容易に把握することができる。
【００８０】
（２−４−３）
識別情報入力支援装置２３０の更新部２３３は、作業の進捗度合いが更新されると管理情報２４６を更新する。表示部２３４は、更新された管理情報２４６を表示する。
【００８１】
これによって、作業者は更新された作業の進捗度合いを容易に把握できる。
【００８２】
（２−４−４）
識別情報入力支援装置２３０の表示部２３４は、複数の機器２２０を表示する。作業者は、表示された複数の機器２２０の中から１つの機器２２０を選択することができる。表示部２３４は、選択されたアイコンに対応する機器情報２４２のみを表示する。
【００８３】
表示部２３４が選択した機器２２０の情報のみを表示することで、作業者は必要な情報を容易に参照、把握することができる。また、選択した機器２０の情報のみを表示することで、必要な機器２０の情報と、他の機器２０の情報と、を混同するという人的ミスを抑制することができる。
【００８４】
（２−４−５）
識別情報入力支援装置２３０は、機器状況取得部２３５を有している。機器状況取得部２３５は機器２２０の機器状況送信部２２３と近距離通信を行い、機器２２０から識別情報２４１の入力が完了しているか否かに関する情報を得る。識別情報入力支援装置２３０の表示部２３４は、機器状況取得部２３５が得た情報を表示する。
【００８５】
作業者は、機器２２０と近距離通信を行うことによって、近距離に位置する機器２２０に識別情報２４１の入力作業が済んでいるか否かに関する情報を容易に把握することができる。
【００８６】
（２−５）変形例
（２−５−１）変形例１
ステップＳ１０５において、作業者は表示部２３４を参照し識別情報２４１を入力する作業を行う。このとき、作業者は、表示部２３４に表示された複数のアイコン（機器２２０）の中から１つのアイコンを選択することができる。表示部２３４は、選択されたアイコンに対応する機器情報２４２を他のアイコンに対応する機器情報２４２よりも目立たせて表示する。
【００８７】
表示部２３４が選択した機器２２０の情報を他の機器２２０の情報よりも目立たせて表示することで、作業者は必要な情報を容易に参照、把握することができる。
【００８８】
（２−５−２）変形例２
識別情報入力支援装置２３０に対して行う情報の入力は、入力部２３１を介して行わなくてもよい。作業者は作業を行う事前に、会社内などで他の装置に識別情報入力支援装置２３０を接続し、複数の機器２２０の機器情報２４２、図面情報２４３、及び配置情報２４４をダウンロードしてもよい。
【００８９】
以上、本開示の実施形態を説明したが、特許請求の範囲に記載された本開示の趣旨及び範囲から逸脱することなく、形態や詳細の多様な変更が可能なことが理解されるであろう。
【符号の説明】
【００９０】
２０    機器
３０    情報記憶装置
４１    識別情報
４２    機器情報
４３    図面情報
４４    配置情報
４６    管理情報
５０    モバイル端末
５１    通信部
５２    表示部
５３    機器状況取得部
１００  識別情報支援システム
２２０  機器
２３６  機器状況取得部
２４０  記憶部
２４１  識別情報
２４２  機器情報
２４３  図面情報
２４４  配置情報
２４６  管理情報
２５２  表示部
【先行技術文献】
【特許文献】
【００９１】
【特許文献１】特開２００９−３００６００号公報
【図１】
2020060818.tif 000003
【図２】
2020060818.tif 000004
【図３】
2020060818.tif 000005
【図４】
2020060818.tif 000006
【図５】
2020060818.tif 000007
【図６】
2020060818.tif 000008
【手続補正書】
【提出日】令和1年9月30日(2019.9.30)
【手続補正１】
【補正対象書類名】特許請求の範囲
【補正対象項目名】全文
【補正方法】変更
【補正の内容】
【特許請求の範囲】
【請求項１】
複数の機器（２０）に識別情報（４１）を入力する作業者による作業を支援する、識別情報入力支援システム（１００）であって、
入力すべき前記識別情報（４１）を含む機器情報（４２）と、前記機器（２０）が設置される場所の図面情報（４３）と、前記図面情報（４３）における前記機器（２０）の配置を示す配置情報（４４）と、を記憶する、情報記憶装置（３０）と、
前記情報記憶装置（３０）と通信を行う通信部（５１）と、前記機器情報（４２）、前記図面情報（４３）および前記配置情報（４４）を対応づけて表示する表示部（５２）と、を有す、モバイル端末（５０）と、
を備える、識別情報入力支援システム。
【請求項２】
前記情報記憶装置（３０）は、さらに、前記機器（２０）に前記識別情報（４１）を入力する作業の進捗度合いを示す管理情報（４６）、を記憶し、
前記表示部（５２）は、さらに、前記管理情報（４６）を表示する、
請求項１に記載の識別情報入力支援システム。
【請求項３】
前記通信部（５１）は、前記作業の進捗度合いが更新されると、前記情報記憶装置（３０）と通信を行い、
前記情報記憶装置（３０）は、前記作業の進捗度合いの更新があると、前記管理情報（４６）を更新する、
請求項２に記載の識別情報入力支援システム。
【請求項４】
複数の機器（２２０）に識別情報（２４１）を入力する作業者による作業を支援する、識別情報入力支援システムであって、
入力すべき前記機器（２２０）の識別情報（２４１）を含む機器情報（２４２）と、前記機器（２２０）が設置される場所の図面情報（２４３）と、前記図面情報（２４３）における前記機器（２２０）の配置を示す配置情報（２４４）と、を記憶する、記憶部（２４０）と、
前記機器情報（２４１）、前記図面情報（２４３）および前記配置情報（２４４）を対応づけて表示する表示部（２５２）と、
を備える、識別情報入力支援システム。
【請求項５】
前記記憶部（２４０）は、さらに、前記機器（２２０）に前記識別情報（２４１）を入力する作業の進捗度合いを示す管理情報（２４６）、を記憶し、
前記表示部（２５２）は、さらに、前記管理情報（２４６）を表示する、
請求項４に記載の識別情報入力支援システム。
【請求項６】
前記識別情報（４１，２４１）は、前記機器（２０，２２０）を管理するためのアドレスを含む、
請求項１から５のいずれかに記載の識別情報入力支援システム。
【請求項７】
前記表示部（５２，２３５）には、複数の前記機器（２０，２２０）が表示され、
前記表示部（５２，２３５）は、前記作業者により選択された１つの前記機器（２０，２２０）に入力すべき前記識別情報（４１，２４１）を目立たせる、または、前記作業者により選択された１つの前記機器（２０，２２０）に入力すべき前記識別情報（４１，２４１）のみを表示する、
請求項１から６のいずれかに記載の識別情報入力支援システム。
【請求項８】
前記モバイル端末（５０）は、前記機器（２０）と近距離通信を行って前記機器（２０）から前記識別情報（４１）の入力が済んでいるか否かに関する情報を得る機器状況取得部（５３）、をさらに有し、
前記表示部（５２）は、さらに、前記機器状況取得部（５３）が得た前記情報を表示する、
請求項１から３のいずれかに記載の識別情報入力支援システム。
【請求項９】
前記機器（２２０）と近距離通信を行って前記機器（２２０）から前記識別情報（２４１）の入力が済んでいるか否かに関する情報を得る機器状況取得部（２３６）、
をさらに備え、
前記表示部（２５２）は、さらに、前記機器状況取得部（２３６）が得た前記情報を表示する、
請求項４又は５に記載の識別情報入力支援システム。
【手続補正２】
【補正対象書類名】明細書
【補正対象項目名】００９１
【補正方法】変更
【補正の内容】
【００９１】
【特許文献１】特開２００９−３０００６０号公報
【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
複数の機器（２０）に識別情報（４１）を入力する作業者による作業を支援する、識別情報入力支援システム（１００）であって、
情報記憶装置（３０）と、モバイル端末（５０）と、を備え、
前記情報記憶装置（３０）は、
前記モバイル端末（５０）と通信を行う通信部（３３）と、
入力すべき前記識別情報（４１）を含む機器情報（４２）と、前記機器（２０）が設置される場所の図面情報（４３）と、前記図面情報（４３）における前記機器（２０）の配置を示す配置情報（４４）と、前記機器（２０）に前記識別情報（４１）を入力する作業の進捗度合いを示す管理情報（４６）と、を記憶する記憶部（４０）と、
前記識別情報（４１）が入力されると、前記管理情報（４６）を更新する更新部（３４）と、
を有し、
前記モバイル端末（５０）は、
前記情報記憶装置（３０）と通信を行う通信部（５１）と、
前記機器情報（４２）、前記図面情報（４３）および前記配置情報（４４）を対応づけて表示する表示部（５２）と、
を有し、
前記モバイル端末（５０）の前記通信部（５１）は、前記管理情報（４６）が更新されると、前記情報記憶装置（３０）の前記通信部（３３）と通信を行い、前記更新部（３４）によって更新された前記管理情報（４６）を取得し、
前記表示部（５２）は、さらに、前記機器情報（４２）、前記図面情報（４３）および前記配置情報（４４）に前記管理情報（４６）を対応付けて表示し、
前記作業者は、前記表示部（５２）の表示を参照して、複数の機器（２０）の前記作業の進捗度合いを把握し、前記作業を行うことができる、
識別情報入力支援システム。
【請求項２】
複数の前記モバイル端末（５０）は、前記通信部（５１）によって前記情報記憶装置（３０）の前記通信部（３３）と通信を行い、
複数の前記モバイル端末（５０）それぞれが、前記機器情報（４２）、前記図面情報（４３）、前記配置情報（４４）、及び、前記管理情報（４６）、を共有する、
請求項１に記載の識別情報入力支援システム。
【請求項３】
前記識別情報（４１）は、前記機器（２０）を管理するためのアドレスを含む、
請求項１又は２のいずれかに記載の識別情報入力支援システム。
【請求項４】
前記表示部（５２）には、複数の前記機器（２０）が表示され、
前記表示部（５２）は、前記作業者により選択された１つの前記機器（２０）に入力すべき前記識別情報（４１）を目立たせる、または、前記作業者により選択された１つの前記機器（２０）に入力すべき前記識別情報（４１）のみを表示する、
請求項１から３のいずれかに記載の識別情報入力支援システム。
【請求項５】
前記モバイル端末（５０）は、前記機器（２０）と近距離通信を行って前記機器（２０）から前記識別情報（４１）の入力が済んでいるか否かに関する情報を得る機器状況取得部（５３）、をさらに有し、
前記表示部（５２）は、さらに、前記機器状況取得部（５３）が得た前記情報を表示する、
請求項１から４のいずれかに記載の識別情報入力支援システム。